(57)【要約】【課題】幅方向の中央部が支持されたディスプレイに、画像をケーブルを介して表示する際に、ケーブルの使い勝手を良くする。【解決手段】画像表示装置は、幅方向の中央部が支柱51によって支持されたディスプレイ4を具えている。該ディスプレイ4の前面にて幅方向の中央部には、ディスプレイ4の外部に位置する撮像装置8からの画像がケーブル80を介して入力される端子40が設けられている。【選択図】図１
2006054769.tif 000002
【特許請求の範囲】
【請求項１】
幅方向の中央部が支柱(51)によって支持されたディスプレイ(４)を具え、該ディスプレイ(４)の前面にて幅方向の中央部には、ディスプレイ(４)の外部に位置する撮像装置(８)からの画像がケーブル(80)を介して入力される端子(40)が設けられたことを特徴とする画像表示装置。
【請求項２】
ディスプレイ(４)は水平面内にて支柱(51)を中心に、左右に回動可能である請求項１に記載の画像表示装置。
【請求項３】
端子(40)には、ＵＳＢケーブル(80)が接続される請求項１又は２に記載の画像表示装置。
【発明の詳細な説明】
【技術分野】
【０００１】
本発明は、画像表示装置、具体的には水平面内にて左右に所定角度だけ回動するディスプレイを具えたテレビジョン受像機に関する。
【背景技術】
【０００２】
水平面内にて左右に所定角度だけ回動するディスプレイを具えた画像表示装置には、図４に示すものが公知である(例えば、特許文献１参照)。
これは、固定台(２)上に回転片(３)を設けた回転台(１)を具え、該回転片(３)上にディスプレイ(４)が載置される。固定台(２)内には、回転片(３)を水平面内にて回転させるモータ(Ｍ)及びリモートコントローラ(以下、「リモコン」と称する)(７)の受光部(70)が設けられており、受光部(70)は通常受光ダイオードである。
図５は、回転台(１)の内部ブロック図である。受光部(70)は制御手段(６)に接続され、制御手段(６)には前記モータ(Ｍ)及びメモリ(60)が接続される。リモコン(７)からの信号は、受光部(70)を介して制御手段(６)に入力され、制御手段(６)はモータ(Ｍ)を回転させ、回転片(３)を回転させる。メモリ(60)には、何れの方向に回転しているかが格納される。回転片(３)を水平面内にて回転させる(スィーベル動作と呼ばれる)ことにより、画像表示装置(４)を視聴者が視聴しやすい位置に向けることができる。
【特許文献１】実開平７−４３０１３号
【発明の開示】
【発明が解決しようとする課題】
【０００３】
近年、外観上のデザインに鑑みて、図１に示すように、ディスプレイ(４)の幅方向の中央部を支柱(51)を介して支持する回転台(１)を具えた画像表示装置がある。
また、近年、デジタルカメラ等にて撮像した画像を、ケーブルを介してディスプレイに表示させることがよく行われている。出願人は、上記の幅方向の中央部が支持されたディスプレイ(４)に、デジタルカメラ等にて撮像した画像をケーブルを介して表示することを着想した。この場合、ケーブルにてデジタルカメラ等とディスプレイ(４)を接続するから、ケーブルの使い勝手を良くする必要がある。
本発明の目的は、幅方向の中央部が支持されたディスプレイ(４)に、画像をケーブルを介して表示する際に、ケーブルの使い勝手を良くすることにある。
【課題を解決するための手段】
【０００４】
画像表示装置は、幅方向の中央部が支柱(51)によって支持されたディスプレイ(４)を具え、該ディスプレイ(４)の前面にて幅方向の中央部には、ディスプレイ(４)の外部に位置する撮像装置からの画像がケーブル(80)を介して入力される端子(40)が設けられている。
【発明の効果】
【０００５】
端子(40)がディスプレイ(４)の幅方向の中央部に設けられており、該ディスプレイ(４)の幅方向の中央部が支柱(51)によって支持されていることにより、以下の効果がある。
１．ディスプレイ(４)の幅方向の中央部に、端子(40)を設けることにより、ディスプレイ(４)が支柱(51)を中心に何れの方向に回動しても、ケーブル(80)が引っ張られる量は少ない。
２．端子(40)にケーブル(80)を着脱する際に、ディスプレイ(４)を押し、又は引いても、かかる押す又は引く力は支柱(51)の略中心軸を通るように加わる。従って、ディスプレイ(４)が支柱(51)を中心に不用意に回動することはない。
３．ディスプレイ(４)のデジタル画像用の回路基板(９)は設計の都合上、ディスプレイ(４)の幅方向の中央部に設けられることが多い。ディスプレイ(４)の幅方向の中央部に、端子(40)を設けることにより、端子(40)と回路基板(９)とを接続する電線が長くなることも防止でき、コスト上昇を抑えることができる。
【発明を実施するための最良の形態】
【０００６】
以下、本発明の一例を図を用いて説明する。
図１は、本発明のディスプレイ(４)を具えた画像表示装置の分解斜視図である。
ディスプレイ(４)は、具体的には画面がフラットなプラズマディスプレイであって、脚片(５)を介して回転台(１)に取り付けられる。ディスプレイ(４)が正面を向く位置を中心位置とし、脚片(５)が水平面内にて、中心位置から水平面内にて左右約３０度に振り回転して、ディスプレイ(４)の向きを変える(図２(a)、(b)参照)。回転台(１)はリモコン(７)によって操作され、該リモコン(７)の信号はディスプレイ(４)に受信されて、回転台(１)に伝わる。尚、ディスプレイ(４)の回動角度は、３０度に限定されない。
脚片(５)は、水平な腕片(52)と、該腕片(52)の両端部から上向きに突出しディスプレイ(４)の底部に嵌まる２本の支持棒(50)(50)と、回転台(１)に嵌まる支柱(51)を具え、該支柱(51)はディスプレイ(４)の幅方向の中央部に対応している。外観上のデザインに鑑みて、支柱(51)の径は、ディスプレイ(４)の幅寸法に比して十分細い。出願人は、ディスプレイ(４)の大きさとして、高さ６０ｃｍ、横幅１１０ｃｍ程度を考えているが、この大きさに限定されない。また、脚片(５)を左右に回動させる構成については、周知であり、説明を省く。
【０００７】
ディスプレイ(４)の前面下端部にて、幅方向の中央部には、端子(40)が設けられ、該端子(40)にＵＳＢ(Universal Serial Bus)規格に準拠したケーブル(80)の一端部が接続される。
ケーブル(80)の他端部は、デジタルカメラ等の撮像装置(８)に接続され、撮像装置(８)からの画像は、ケーブル(80)及び端子(40)を介して、ディスプレイ(４)に表示される。
【０００８】
ディスプレイ(４)の幅方向の中央部に、端子(40)を設けた理由を、以下に示す。図３に示すように、仮に端子(40)がディスプレイ(４)の右端部に位置しているとする。これでは、ディスプレイ(４)が支柱(51)を中心に反時計方向に回動すると、ケーブル(80)が引っ張られる量が多く、ケーブル(80)が切断される虞れもある。端子(40)がディスプレイ(４)の左端部に位置していても同様である。
また、端子(40)がディスプレイ(４)の端部に位置していると、端子(40)にケーブル(80)を着脱する際に、ディスプレイ(４)を押し、又は引くから、ディスプレイ(４)が支柱(51)を中心に不用意に回動する。
【０００９】
更に、ディスプレイ(４)のデジタル画像用の回路基板(９)は設計の都合上、ディスプレイ(４)の幅方向の中央部に設けられることが多い。従って、端子(40)がディスプレイ(４)の端部に位置していると、端子(40)と回路基板(９)とを接続する電線(図示せず)が長くなり、コスト上昇を招来する。
ディスプレイ(４)の幅方向の中央部に、端子(40)を設けることにより、ディスプレイ(４)が支柱(51)を中心に何れの方向に回動しても、ケーブル(80)が引っ張られる量は少ない。
また、端子(40)にケーブル(80)を着脱する際に、ディスプレイ(４)を押し、又は引いても、かかる押す又は引く力は支柱(51)の略中心軸を通るように加わるから、ディスプレイ(４)が支柱(51)を中心に不用意に回動することはない。
更に、端子(40)と回路基板(９)とを接続する電線が長くなることも防止でき、コスト上昇を抑えることができる。
【００１０】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
上記例では、ケーブル(80)はＵＳＢ規格に準拠したとしたが、ＩＥＥＥ(Institute of Electrical and Electronics Engineers)１３９４規格に準拠していてもよい。
【図面の簡単な説明】
【００１１】
【図１】本発明のディスプレイを具えた画像表示装置の分解斜視図である。
【図２】(a)、(b)は、ディスプレイの回動姿勢を示す平面図である。
【図３】ディスプレイの右端部に端子を設けた場合の平面図である。
【図４】従来のテレビジョン受像機の斜視図である。
【図５】従来のテレビジョン受像機の内部ブロック図である。
【符号の説明】
【００１２】
(１)  回転台
(２)  固定台
(４)  ディスプレイ
(51)  支柱
(80)  ケーブル
【図１】
2006054769.tif 000003
【図２】
2006054769.tif 000004
【図３】
2006054769.tif 000005
【図４】
2006054769.tif 000006
【図５】
2006054769.tif 000007